(57)【要約】【課題】  部材と部材との嵌合による固定を可能とし、より自由な接合を実現し得る木工製品用材を提供する。【解決手段】  所定の形状と任意の長さを有する一種の角材について、長手方向に沿った溝１２を持つほぼ凹型の横断面形状を有し、溝１２の幅と、溝１２の深さ方向における材厚とが一定値Ａを取ることにより、ある部材１１を他のある部材１１の溝１２に嵌め合わせて固定できるようにする。【選択図】          図１
2005132060.tif 000002
【特許請求の範囲】
【請求項１】
所定の形状と任意の長さを有する一種の角材であって、長手方向に沿った溝を持つほぼ凹型の横断面形状を有しており、溝の幅と、溝の深さ方向における材厚とが一定値をとることにより、ある部材を他の部材の溝に嵌め合わせて固定できることを特徴とする木工製品用材。
【請求項２】
溝縁から部材側縁までの寸法が、一定値又はその２分の１である請求項１記載の木工製品用材。
【請求項３】
溝の深さが、一定値の２分の１である請求項１又は２記載の木工製品用材。
【請求項４】
部材の一方の側縁から他方の側縁までの寸法が、一定値の３倍の値でありかつ溝が中央に位置している請求項１ないし３のいずれかに記載の木工製品用材。
【発明の詳細な説明】
【技術分野】
【０００１】
本発明は、所定の形状と任意の長さを有する一種の角材である木工製品用材に関するものである。
【背景技術】
【０００２】
例えば棚類や簡単な椅子、テーブルなどは、いわゆる日曜大工のテーマとして良く製作されるものであるが、接合部には専門的な加工が必要であり、一般の人々には満足のいくものを作り難い。市販の製作キットを用いれば、必要な加工がなされているので、素人でも組み立てることができるけれども、定められた位置や形態を変更することなどは相当の困難が伴なう。
【０００３】
木工に使用される材料は、基礎材料としての木材そのものから脱しておらず、接合などのために専門的加工を要する原因となっている。これに対して当該分野において提案されている改良技術もないではないが、特開平８−１５５９１２号、同じく１１−１７２８０７号のようなものが見られる程度である。しかもこれらは、凹凸嵌合式の構造を有しているが、嵌合は単なる位置決めに過ぎず、部材同士の固定の助けとなるものではない。
【０００４】
【特許文献１】特開平８−１５５９１２
【特許文献２】特開平１１−１７２８０７
【発明の開示】
【発明が解決しようとする課題】
【０００５】
本発明は前記の点に着目してなされたもので、その課題は、部材と部材との嵌合による固定を可能とし、より自由な接合を実現することである。また本発明の他の課題は、同種の部材を組み合わせることにより様々な目的物を形成でき、手間がかからず、調整やアレンジメントが容易となる木工製品用材を提供することである。
【課題を解決するための手段】
【０００６】
前記の課題を解決するため本発明は、所定の形状と任意の長さを有する一種の角材について、長手方向に沿った溝を持つほぼ凹型の横断面形状を有し、溝の幅と、溝の深さ方向における材厚とが一定値をとることにより、ある部材を他の部材の溝に嵌め合わせて固定できるようにするという手段を講じている（請求項１記載の発明）。
【０００７】
本発明において、木工製品とは、木材を使用して製造された品物というほどの意味である。従って、前述した棚類や椅子、テーブル等を含む。また本発明において、角材とは、四角な材木という従来からの意味と同じであり、基本的な形態がそうであることを言おうとするものである。なお、材長については何も限定しない。
【０００８】
本発明の木工製品用材は、長手方向に沿った溝を有しており、その結果大雑把に言えば凹型の横断面形状を有することになる。この溝の幅と、溝の深さ方向における外寸つまり材厚は、ＡならばＡという一定値を取る。これによってある部材を他の部材の溝に嵌め合わせて固定できるものとなる。溝や部材の位置及びサイズは、後述するように一定の制約の下で、各種の変更を加えることができるが、本発明に係る木工製品用材は、そのような様々な部材の集合体によって構成されているものである。
【０００９】
溝幅と材厚とが共に一定値Ａを取ることに加えて溝縁から部材の側縁までの寸法が一定値Ａを取ることは望ましいことである（請求項２記載の発明、図３参照）。溝縁から部材の側縁までの寸法（以下溝縁幅という。）とは、最短距離における寸法、つまり平行な溝縁と部材側縁までの寸法は一定値Ａの２分の１の値を取っても良い。後の場合には、２分の１Ａ＋２分の１Ａ＝Ａで有るから、隣り合わせに並べた２個の部材を第３の部材の溝に嵌め合わせて、一体に結合するというようなことも可能になる。
【００１０】
溝縁幅として一定値Ａ又は２分の１Ａを取ることに加えて、溝の深さを一定値Ａの２分の１とすることも望ましいことである（請求項３記載の発明、図４参照）。この場合、溝同士が１個の空洞を作るように２個の部材を組み合わせると、その空洞に例えば軸を差し込んで回転可能にする軸受構造を提供できることになる。溝の深さが２分の１Ａということは、２分の１Ａの長さである部材を他の部材の溝に嵌め合わせることで、部材同士を固定するために必要な力が得られるという意味でもある。
【００１１】
溝縁幅として一定値Ａ又はその２分の１の寸法を取ることが望ましいことは既に述べたが、溝縁幅は、溝の片側のみならず両側に適用されることも望ましいことである。溝縁幅を一定値Ａとし、かつ溝の左右両側に適用した場合には、部材の一方の側縁から他方の側縁までの寸法が、一定値Ａの３倍の値となり、このとき溝は部材の中央に位置することになる（請求項４記載の発明、図５参照）。
【００１２】
溝は、部材１個につき１箇所とは限らない。この種の用材にはできる限り単純な形態であることが望まれ、必要性も多くはないが、溝を複数箇所設けることは自由である（図９参照）。溝を１箇所しか有しないものと複数箇所の溝を有するものとを組み合わせることにより、部材同士を結合する自由度が広がることが望まれる。複数箇所の溝は同一面に設けなければならない訳ではなく、反対側など、異なる面にも設けられる。
【００１３】
相互に嵌まり合う凹部の寸法も、凸部の寸法も、共に一定値Ａでは嵌合しないので、そこには嵌合のためのゆとりの存在することが必要である。即ち本発明における嵌合は、工学上のはめあいにたとえると、とまりばめ或いは締まりばめに相当し、嵌合した部材同士は動かないように固定された状態となることが望ましい。
【００１４】
本発明に係る木工製品用材は、天然木材、集成材、合成材或いはプラスチックを材料として形成され、木工用の利器、工具、機械、器具によって加工され、目的物の構成材となる。ところで目的物の構成要素には、本発明の用材の他に、補助的な部材を併用することもあり、またボルト、ナットや釘類、接着剤などの固着手段も必要である。
【発明の効果】
【００１５】
本発明は以上の如く構成されかつ作用するものであるから、部材と部材との固定が嵌合によって為されるが、組み立て段階における要所の固定が容易かつ確実に行えることになり、専門的な木工技術のない者でも、様々な目的物を少ない手間で完成することができ、製作中の調整やアレンジメントも容易に行えるようになるという効果を奏する。
【発明を実施するための最良の形態】
【００１６】
以下図示の実施例を参照しながら本発明をさらに詳細に説明する。図１は、角材状の部材１１の一側面に、長手方向に沿って溝１２を設けた木工製品用材の例であり、溝１２の幅と、溝１２の深さ方向における材厚とが、共に一定値Ａを取る。従って図１の例では、或る部材１１の溝１２に、溝幅と一致する深さ方向の向きにして他の部材を嵌め合わせることができ、それによって両部材１１、１１が互いに固定される。
【００１７】
図１に斜視図であらわしたのはやぐら形の構造体１３であり、これは、４本の柱１１−１、１１−２、１１−３、１１−４を部材深さ方向を溝幅方向に合わせて配置するとともに、左右の梁材１１−５、１１−６、１１−７、１１−８を嵌め合わせ、さらに左右の梁材１１−５、１１−６、１１−７、１１−８を、部材深さ方向を溝幅方向に合わせて渡し材１１−９を上下各複数本嵌め合わせた構造体である。図１の構造体１３を構成している用材は便宜上１１−１〜１１−９と異なる符号により示しているが、これらは全部同じ部材１１を用いて組み合わせられる。同じ部材１１とは１種類の部材１１という意味であ
る。
【００１８】
図２は溝幅と溝の深さ方向の材厚が一定値Ａを取るという例１の条件に加えて、一方の溝縁２４から部材側縁２５までの寸法が一定値Ａを取るようにした部材２１の例２を示している。なお、部材２１の一側縁から他側縁までの寸法は一定値Ａの２倍以上に３倍以下の範囲に図示されている。本例２においても、或る部材２１の溝２２に、溝幅と一致する深さ方向の向きにして他の部材を嵌め合わせることができ、それによって両部材２１、２１が互いに固定される。
【００１９】
図２（ａ）、（ｂ）、（ｃ）に示した卓状の構造体２３は、上記部材２１から成る４本の脚２１−１、２１−２、２１−３、２１−４を、２本の梁材２１−５、２１−６の溝部両隅に嵌め込んで固定し、両梁材２１−５、２１−６の両端を交差梁材２１−７、２１−８の溝２２に嵌め込んで固定するとともに、交差梁材２１−７、２１−８の間かつ梁材２１−５、２１−６の上に部材２１−９を伏せて並べた構造を有する。各部材２１−１〜２１−９の嵌合にあたり、部材深さ方向を溝幅方向に合わせるのは前記の例１と同様であ
る。例２の場合、一方の溝縁２４から部材側縁２５までの寸法を一定値Ａとしたことにより、交差梁材２１−７、２１−８に嵌合した梁材２１−５、２１−６の上に一定値Ａの深さの空所を確保し得るので、同じく一定値Ａを取る部材２１を卓面２６としてこの空所を埋めることができる。なお、２９−１、２９−２は脚間の架材を示す。
【００２０】
図３は、溝３２を持つ部材３１であって、溝の幅と溝の深さ方向の寸法が一定値Ａを取る例１の条件に加えて、一方の溝縁３４から一方の側縁３５までの寸法が一定値Ａの２分の１である例３を示している。また図３には上記寸法が一定値Ａを取る例２と組み合わせる例が示されている。
【００２１】
図３（ａ）、（ｂ）、（ｃ）に示した卓状の構造体２３は、例２と類似した構造を持っており、上記部材３１から成る４本の脚３１−１、３１−２、３１−３、３１−４とこれらと嵌合する２本の梁材３１−５、３１−６を有することまでは共通している。しかし２本の梁材３１−５、３１−６の両端は部材深さ方向を溝幅方向に合わせて、例３の用材を用いた交差梁材３１−７、３１−８の溝３２に嵌合されており、それゆえ梁材３１−５、３１−６の上の空所の深さは一定値Ａの２分の１となる。このため、梁材３１−５、３１−６の上方空所に敷き並べ卓面３６を形成する部材３９−４は、一定値Ａの２分の１の厚さのものが適当となる。３９−１、３９−２は脚間の架材を示す。
【００２２】
図４は、溝幅と溝深さ方向の材厚とが一定値Ａを取る例１の条件に加えて、溝４２の深さが一定値Ａの２分の１である例４を示しており、加えて例示のものは溝縁４４から部材４１の側縁４５までの寸法が一定値Ａの２分の１であるという例３の条件も加わってい
る。溝４２の深さが一定値Ａの２分の１ということは、部材同士の嵌合により所望の固定力を得る上で最も適当であり、部材４１の材厚も所定値Ａを取り得るので過大にならず全体としても好適である。
【００２３】
図４（ａ）、（ｂ）、（ｃ）に示した卓状の構造体４３は、やはり例２と類似の構造を持ち、上記部材４１から成る４本の脚４１−１、４１−２、４１−３、４１−４とこれらの端部が嵌合する溝４２を提供する梁材４１−５、４１−６を有する。４本の内前２組の脚４１−１、４１−２間と後２組の脚４１−３、４１−４間には夫々架材４９−１、４９−２が両端部を溝４２に嵌め合わせて固定され、さらに両架材４９−１、４９−２は、それらの溝４２に嵌め合わせて固定した第３の架材４９−３によって結合されている。例４において第２の梁材４１−７、４１−８は、前記梁材４１−５、４１−６の外側縁に嵌合させてあり、卓面４６を形成する部材４９−４は第２の梁材４１−７、４１−８の間に並列されている。
【００２４】
図５は、溝幅と溝深さ方向の材厚がともに一定値Ａを取る例１の条件に加えて、部材５１の一方の側縁５５−１から他方の側縁５５−２までの寸法が、一定値Ａの３倍の値を取りかつ、溝５２が中央に位置している例５を示している。溝５２とその左右の部分５７−１、５７−２は同寸であって嵌合可能な関係に構成されているので、溝５２を凹部とし、その左右の部分５７−１、５７−２を凸部とする嵌合により、部材５１をその長手方向にも幅方向にも接続して継ぎ合わせることが可能となる。
【００２５】
図５（ａ）、（ｂ）は、この構成例５に特徴的な嵌合構造を示しており、部材５１同士を、溝５２とその左右の部分５７−１、５７−２を嵌め合わせることにより段状の形態が得られることを示している（図５（ａ））。段状の形態を利用して、交差方向に別の部材５８を張り渡すことにより、段状の形態を階段に転ずるとことができる（図５（ｂ））。例５は、溝５２に、部材５１の材厚の値Ａを使用することなく、溝５２の左右の部分５７−１、５７−２を嵌め合わせて固定することができることを示している。しかしこの例５でも、部材５１の端部を溝深さ方向の材厚Ａを利用して溝５２に嵌合できることは明らかである。
【００２６】
図６は、溝６２の深さが一定値Ａの２分の１である（例４と同じ）部材６１の利用形態の１例を示す。この場合、２個の部材６１、６１を夫々の溝６２を対面させるように配置し、両溝６２、６２で形成されている空所を軸受け溝として、軸６０を差し込むことが可能となる。このような軸受け機構を利用することにより、例えば折り畳み式の椅子などを形成できるようになる。
【００２７】
図７は、溝７２とその左右の部分７５−１、７５−２の寸法が一定値Ａを取るととも
に、溝７２の深さが一定値Ａを取るとともに、溝７２の深さが一定値Ａの２分の１を取る７１を例示している。このような例７で特徴的な事項は、部材７１の左右両側を左右に配置される部材７１の溝７２に嵌め込むと、左右の部材７１、７２の間の間隔が３Ａ−（２分の１Ａ×２）＝２Ａとなり、つまり材厚２個分と等しくなるということである。図７はその特徴を利用して形成した横断面Ｈ型の柱体７０の長手方向に、材厚２個分の交差部材７４を挟持させ、さらに交差部材７４の溝７２に棚板７６を嵌め合わせて、棚状の構造体７３を構築した例を示している。
【００２８】
図８は、これまでに例示した部材１１、２１、３１、４１、５１、６１、７１が単一種類同士を組み合わせられることは勿論、異種のものを自由に組み合わせて、嵌め合わせ固定し、目的物を形成し得るということを示している。図８（ａ）は例５と同種部材８１−１の一方の溝８２に他方の部材８１−２の側縁を嵌合して横断面Ｔ字形にした縦２本組の例、図８（ｂ）はＴ字交差状部材５１−２の背面に第３の部材８１−４を張り合わせた例で、テーブル面や棚の壁面に使用することができる。図８（ｃ）はＴ字交差部材として例２と同じく溝縁から部材側縁までの寸法が一定値Ａを取る一方、他の溝縁から他側縁までの寸法は大きく取ったもの８１−５を組み合わせており、図８（ｄ）はＴ字交差される部材に上記のもの８１−５を組み合わせている。
【００２９】
図９は、複数個の溝９２を有する部材９１とその使用例を示している。この部材についても、溝９２の幅と、溝９２の深さ方向の寸法即ち材厚が一定値Ａを取る条件１は絶対に満たされなければならず、溝縁から部材側縁までの寸法が一定値Ａ又はその２分の１の値を取る条件２、溝９２の深さが一定値Ａの２分の１の値をとる条件３を選択的に満たさなければならない。複数個の溝９２には、他部材Ｘ１を夫々嵌めあわせることができ（図９（ａ））、嵌め合わせた部材Ｘ１の溝Ｘ２にはさらに他部材Ｙ１を嵌め合わせることができる。さらに複数個の溝Ｚ２、Ｚ２は部材Ｚ１の同一面になくても良いという例を示したのが図９（ｃ）である。最後の例では部材Ｚ１の横断面がＳ字又はＺ字状となるので、階段状若しくは千鳥状の配置も取ることができる。
【図面の簡単な説明】
【００３０】
【図１】本発明に係る木工製品用材の例１の横断面とその使用例を示す斜視図。
【図２】同じく本発明の例２の横断面と、その使用例の正面図（ａ）、下面図（ｂ）及び平面図（ｃ）。
【図３】同じく本発明の例３の横断面と、その使用例の正面図（ａ）、下面図（ｂ）及び平面図（ｃ）。
【図４】同じく本発明の例４の横断面と、その使用例の正面図（ａ）、下面図（ｂ）及び平面図（ｃ）。
【図５】同じく本発明例５の横断面と、その使用例２例を示す斜視図（ａ）及び（ｂ）。
【図６】同じく本発明の例６の横断面と、その使用例を示す要部斜視図（ａ）、使用例を示す側面図（ｂ）、平面図（ｃ）及び正面図（ｄ）。
【図７】同じく本発明による組み合わせ例を示す斜視図。
【図８】同じく本発明による組み合わせの４例（ａ）、（ｂ）、（ｃ）、（ｄ）を示す斜視図。
【図９】同じく本発明の変形例と組み合わせの３例（ａ）、（ｂ）、（ｃ）を示す説明図。
【符号の説明】
【００３１】
１１、２１、３１、４１、５１、６１、７１、８１、９１  部材
１２、２２、３２、４２、５２、６２、７２、８２、９２  溝
１３、２３、３３、４３  構造体
２４、３４  溝縁
２５、３５、５５−１、５５−２  側縁
２６、３６、４６  卓面
【図１】
2005132060.tif 000003
【図２】
2005132060.tif 000004
【図３】
2005132060.tif 000005
【図４】
2005132060.tif 000006
【図５】
2005132060.tif 000007
【図６】
2005132060.tif 000008
【図７】
2005132060.tif 000009
【図８】
2005132060.tif 000010
【図９】
2005132060.tif 000011